(57)【要約】【課題】優れた美感と着用者に皮膚のトラブルや傷をつけないＣＮＣ金型で作製された付着型ウイングブラジャーを提供する。【解決手段】一体形成された一対のブラジャーカップと、前記ブラジャーカップの両側にそれぞれ伸びて形成されたウイングで構成されたモールドと、前記モールドのウイング部分のみに貼着剤を塗布して形成した貼着剤層で構成され、前記モールドは、スポンジと、前記スポンジの内外にボンディングされた生地をバリアホールが形成されたＣＮＣ金型で圧着加熱した後、凸型カッターでカットするだけで成型して、ブラジャーの縁で内側生地が内方から外方へ曲げられた形状とする。【選択図】  図１
2011241526.tif 000002
【特許請求の範囲】
【請求項１】
バリアホール（ｂａｒｒｉｅｒ  ｈｏｌｅ）が形成されているＣＮＣ金型で作製された付着型ブラジャーカップにおいて、
ブラジャーが、一対のブラジャーカップと、前記各ブラジャーカップの両側にそれぞれ伸びて形成されたウイングで構成されたモールドと、前記モールドのウイング部分のみに貼着剤を塗布して形成した貼着剤層とを備え、
前記モールドは、スポンジを備え、前記スポンジの内外にボンディングされた生地をバリアホールが形成されたＣＮＣ金型で圧着加熱した後、凸型カッターでカットするだけで成型して、ブラジャーカップの縁で内側生地が内方から外方へ曲げられた形状であることを特徴とするＣＮＣ金型で作製された付着型ウイングブラジャー。
【請求項２】
前記ブラジャーカップの内部表面の一部分に貼着剤層がさらに形成されていることを特徴とする請求項１に記載のＣＮＣ金型で作製された付着型ウイングブラジャー。
【請求項３】
前記ＣＮＣ金型の下型（ｕｎｄｅｒ  ｍｏｌｄ）にはモールドの縁に沿ってバリアホールが形成され、上型（ｕｐｐｅｒ  ｍｏｌｄ）には下向きに突出したガイドピンが形成されており、前記下型は突出された前記ガイドピンに対応する形状の凹溝が形成されていることを特徴とする請求項１に記載のＣＮＣ金型で作製された付着型ウイングブラジャー。
【請求項４】
前記モールドのスポンジは２枚で構成され、前記２枚のスポンジの間に、ブラジャーを着用した時に乳房が垂れないように支持する乳房状に曲げられた板状の支持部材が挿入されていることを特徴とする請求項１に記載のＣＮＣ金型で作製された付着型ウイングブラジャー。
【請求項５】
付着型ウイングブラジャーの製造方法において、
スポンジの両面に内側生地と外側生地とをボンディング（ｂｏｎｄｉｎｇ）し、ボンディングした生地をＣＮＣ金型に挿入した後、当該生地に１８０〜２１０℃の熱と５０〜１５０トン/ｃｍ２の圧力とを２〜４分程度加えて成型ＣＮＣ金型でモールドを成型するステップと、
前記モールドをプレスのベースの上に載置し、ブラジャーカップの形状と同一形状の凸型カッターを前記モールド上で、前記凸型カッターに力を加えて前記モールドをカットするステップと、
カットした前記モールドの内面にポリオレフィンを原料とするゲルを塗布して前記モールドの内面に貼着剤層を形成するステップと、
を経て製造することを特徴とするＣＮＣ金型を用いた付着型ウイングブラジャーの製造方法。
【請求項６】
前記ブラジャーカップモールドを成型するステップは、ブラジャーを着用した時に乳房が垂れないように支持する曲げられた板状の支持部材をブラジャーカップモールドに挿入する工程をさらに有することを特徴とする請求項５に記載のＣＮＣ金型を用いた付着型ウイングブラジャーの製造方法。
【発明の詳細な説明】
【技術分野】
【０００１】
本発明は、ＣＮＣ（ｃｏｍｐｕｔｅｒ  ｎｕｍｅｒｉｃａｌ  ｃｏｎｔｒｏｌ）金型で作製された付着型ウイングブラジャーに関し、より詳しくは、バリアホール（ｂａｒｒｉｅｒ  ｈｏｌｅ）が形成されたＣＮＣ金型を使用してブラジャーカップとウイング（ｗｉｎｇ）とが一体形成されたモールドを作製した後、凸型のカッターでプレスすることによってカットするだけで仕上げて、ウイング部分に貼着剤を塗布して肩の紐や背中の紐などを使用することなく貼着剤の接着力だけでブラジャーを着用可能として、優れた美感と着用者に皮膚のトラブルや傷（スクラッチ）を付けないＣＮＣ金型で作製された付着型ウイングブラジャー及びその製造方法に関する。
【背景技術】
【０００２】
女性に対する美の基準が段々西欧化されつつ豊胸に対する選好度が高くなり、そのような要求につれてバスト（ｂｕｓｔ）を豊かで且つ美しく見せるようにする機能性ブラジャーが多く発売されている。発売された機能性ブラジャーのうち既存のブラジャーと異なり肩の紐と背中の紐無しに乳房に直接付着する付着型ブラジャーが若い女性に人気が高いが、このような付着型ブラジャーは、ブラジャーカップの乳房と接触する内側の表面に接着性を持つ貼着剤層を形成して乳房に付着させることができるよう構成されている。
【０００３】
付着型ブラジャーにおいて問題となるのは、貼着剤の皮膚接着に因って発生する皮膚のトラブルと接着力の強度及び持続的な接着力の維持、美感を損なわないようブラジャーカップの縁の仕上げをどのようにするのかが問題であり、また製造費用を減らすために必然的に求められる大量生産が難しいという問題である。
【０００４】
これまでに殆どの付着型ブラジャーはブラジャーカップ内部の表面に貼着剤層を形成し、両側のカップを連結手段で連結する方式であって、特許文献１〜６などに開示されているように、既に多くの技術が知られている。
【０００５】
また、特許文献７の「縫製線のない付着型ブラジャー及びその製造方法」は、ブラジャーカップモールドの内皮と外皮との生地の間にスポンジがあり、ブラジャーカップモールドの縁を超音波で切断することによって縫製線が無いように作製した付着型ブラジャーに関するものである。
【０００６】
また、特許文献８と特許文献９との「肩の紐と背中の紐のないブラジャー」に開示された技術は、ブラジャーカップの内部に貼着剤層を形成してはいないが、織物で成っているブラジャーのウイング部分のウレタン系防水用フィルムの上にシリコン貼着剤をつけて縫製したものである。
【０００７】
【特許文献１】大韓民国特許登録第５０４１８４号
【特許文献２】大韓民国特許登録第７６５８２２号
【特許文献３】大韓民国特許登録第５６７８１７号
【特許文献４】大韓民国実用新案登録第３６３４６３号
【特許文献５】大韓民国実用新案登録第３３７９８６号
【特許文献６】大韓民国実用新案登録第３３８００７号
【特許文献７】大韓民国特許登録第９１１９１２号
【特許文献８】米国特許第６８１４６４８号
【特許文献９】米国特許第６２３１４２４号
【発明の概要】
【発明が解決しようとする課題】
【０００８】
しかし、特許文献１〜６のものは、殆ど貼着剤層がブラジャーカップの内部表面に形成されており、女性の最も敏感な部分である乳房に直接接着する方式であるので、授乳をする女性、或いは、接触に敏感な女性はその使用を憚る傾向がある。
【０００９】
また、特許文献７のものは、ブラジャーカップの縁を超音波で切断して仕上げるため、超音波発生時に発する熱によりスポンジ端部が内外に位置した生地に溶け込んで生地と一緒に固くなってしまう。この部分は、着用者の皮膚に傷（ｓｃｒａｔｃｈ）を付けることがある。また、この部分は、ブラジャーを繰り返して洗濯するにつれてスポンジが変色したり、酸化したりしながら粉となり、皮膚に雑に付くという問題があった。
【００１０】
また、既存の全ての付着型ブラジャーは、モールド製造時に鋳型を使用していたため、生産性が低く大量生産は不可能であったため、必然的に縁部分に誤差が発生していた。このため、これに対処するために超音波カットや折縫い作業が必須であったが、超音波カットの場合、発熱を利用してカットするのでカットされる生地の熱を受ける部分が固くなり、しかも熱のためスポンジが内外に位置した生地に溶け込むことになって縁が滑らかにならず、かさかさして感触も良くない。このように、既存のブラジャーは、肌を傷つけるだけでなく、美感も優れていないという問題があった。
【００１１】
特許文献８のものと特許文献９のものは、縫製線及び折縫い線が突出されているので美感と着心地が悪い。また、体にフィットする服を着た時に折縫い線及び縫製線が透視及び突出されるので外観が悪い。さらに、作業工程が複雑で製造費用が高くなるという問題点があった。
【００１２】
本発明は上記のような問題点を解決するために案出されたもので、本発明の課題は、鋳型でないバリアホール（ｂａｒｒｉｅｒ  ｈｏｌｅ）が形成されたＣＮＣ金型を使用してブラジャーカップとウイング（ｗｉｎｇ）が一体形成されたモールドを作製した後、凸型カッターによるプレスでカットするだけで仕上げて、ウイング部分に貼着剤を塗布して肩の紐や背中の紐を使用せず貼着剤の接着力だけでブラジャーを着用することによって、優れた美感と着用者に皮膚のトラブルや傷をつけないＣＮＣ金型で作製された付着型ウイングブラジャー及びその製造方法を提供する。
【課題を解決するための手段】
【００１３】
上記のような課題を解決するために、本発明に係るＣＮＣ金型で作製された付着型ウイングブラジャーは、一対のブラジャーカップと、前記各ブラジャーカップの両側にそれぞれ伸びて形成されたウイングで構成されたモールドと、前記モールドのウイング部分のみに貼着剤を塗布して形成した貼着剤層とを備え、前記モールドは、スポンジを備え、前記スポンジの内外にボンディングされた生地をバリアホールが形成されたＣＮＣ金型で圧着加熱した後、凸型カッターでカットするだけで成型し、ブラジャーカップの縁で内側生地が内方から外方へ曲げられた形状であることを特徴とする。
【００１４】
好ましくは、ＣＮＣ金型の上型（ｕｐｐｅｒ  ｍｏｌｄ）には下向きに突出したガイドピンが形成されており、下型（ｕｎｄｅｒ  ｍｏｌｄ）には前記突出されたガイドピンと対応する形状の凹溝とブラジャーの縁に沿ってバリアホールが形成されている。
【００１５】
好ましくは、ブラジャーカップのスポンジ間にはブラジャーを着用した時に乳房が垂れないように支持する曲げられた板状の支持部材が挿入されている。
【００１６】
本発明に係るＣＮＣ金型を用いた付着型ウイングブラジャーの製造方法は、スポンジ１３の両面に内側生地１１と外側生地１２とをボンディング（ｂｏｎｄｉｎｇ）し、ボンディングした生地をＣＮＣ金型に挿入した後、当該生地に１８０〜２１０℃の熱と５０〜１５０トン/ｃｍ２の圧力とを２〜４分程度加えて成型ＣＮＣ金型でモールドを成型するステップと、前記モールドをプレスのベースの上に載置し、ブラジャーカップの形状と同一形状の凸型カッターを前記成型モールド上で、前記凸型カッターに力を加えて前記モールドをカットするステップと、カットした前記モールドの内面にポリオレフィンを原料とするゲルを塗布して前記モールドの内面に貼着剤層を形成するステップと、を経て製造することを特徴とする。
【発明の効果】
【００１７】
本発明のＣＮＣ金型で作製された付着型ウイングブラジャーは、既存の付着型ブラジャーのモールドのように鋳型を使用して製造するのではないため、生産性が低下することによって縁部分に誤差が発生して同一製品の大量生産が不可能であったという問題を回避できる。具体的には、本発明ではバリアホールを備えたＣＮＣ金型を使用するので、同一のモールドを大量生産した場合でも、常に一定の形状を維持して大量生産が可能になる。また、本発明のＣＮＣ金型で作製された付着型ウイングブラジャーは、縁で内側生地が外方へ曲げられた形状に滑らかに仕上がるだけでなくバリアホールにより形成されたボーダーに沿って凸型カッターでカットするので、常に一定箇所をカットすることから誤差が全く発生せず生産性を遥かに向上することができる。
【００１８】
本発明に係るＣＮＣ金型で作製された付着型ウイングブラジャーは、鋳型でないバリアホールを備えたＣＮＣ金型を利用したモールドをプレスでウイングブラジャーと同一形状をした凸型カッターでカットするだけで仕上げたもので、ブラジャーカップの縁部分が滑らかで縁で内側生地が内方から外方へ曲げられた形状であるので、着用者の皮膚に全く傷（ｓｃｒａｔｃｈ）をつけず、カットの時に熱が発生しないので、生地が変形したりスポンジが内外に位置した生地に溶け込まないので洗濯を繰り返すにつれブラジャーの縁部分にあるスポンジが変色したり酸化したりして型崩れすることがなく、原形がそのまま保たれ、敏感な乳房に付着せずブラジャーカップの側面に一体形成されたウイング部分に塗布された貼着剤によって皮膚に接着されるので、授乳をしなければならない女性や接触に敏感な女性も何ら問題なく使用することができる。
【図面の簡単な説明】
【００１９】
【図１】本発明に係る付着型ウイングブラジャーの実施形態の内部表面の平面図及び断面図である。
【図２】本発明に係る付着型ウイングブラジャーの実施形態の内部表面の平面図及び断面図である。
【図３】本発明に係る付着型ウイングブラジャーのモールドを成型するためのＣＮＣ金型の断面図である。
【図４】ＣＮＣ金型で成型したモールドと凸型カッターを示した図である。
【符号の説明】
【００２０】
１０：ブラジャーカップ
１１：内側生地
１２：外側生地
１３：スポンジ
１４：支持部材
１５：ウイング（ｗｉｎｇ）
２０：貼着剤層
３０：  ＣＮＣ金型
３１：上型
３２：下型
３３：ガイドピン
３４：凹溝
３５：バリアホール（ｂａｒｒｉｅｒ  ｈｏｌｅ）
４０：凸型カッター
５０：成型モールド
５１：ボーダー
【発明の実施のための最良の形態】
【００２１】
以下、本発明の実施形態について、図面を参照して説明する。
【００２２】
本発明は肩の紐や背中の紐を使用することなくブラジャーのウイング部分に塗布された貼着剤の接着力だけでブラジャーを着用する付着型ウイングブラジャーであるが、本発明に係る付着型ウイングブラジャー製造方法上の最も大きな特徴は、バリアホールが形成されたＣＮＣ（ｃｏｍｐｕｔｅｒ  ｎｕｍｅｒｉｃａｌ  ｃｏｎｔｒｏｌ）金型でモールドを成型するので、大量生産した付着型ウイングブラジャーは、形状が常に同一であり、ブラジャーカップとウイング部分との縁がかさかさせず滑らかであるだけでなく、その縁で内側生地が内方から外方へラウンドされた（つまり曲げられた）形状であるので着用者の皮膚にかかれた痕や傷など一切の問題を起こさない。
【００２３】
これまでの全ての付着型ブラジャーのモールドは鋳型を使用していた。鋳型は人の手で作るので精度が劣り、特に、成型したモールドの縁部分に必然的に誤差が発生することになり、このためには折縫いをしたり、超音波カットを行なったりするしかなく、完全に同一形状のブラジャーを大量生産するということはそもそも不可能だった。
【００２４】
本発明は上記のような鋳型で作製された付着型ブラジャーが持つ問題点を解決するためにモールドをＣＮＣ金型で成型しており、ＣＮＣ金型は各種のデータを入力してモールドの模様、厚さ及びサイズなどをデザインし、これを３Ｄスキャンしてコンピューターで精密加工して作製している。
【００２５】
図３に示すように、本発明に係る付着型ウイングブラジャーのモールドを成型するためのＣＮＣ金型３０の下型（ｕｎｄｅｒ  ｍｏｌｄ；雌金型）３２には成型されるモールドの縁に沿ってバリアホール３５が形成されているのが最も大きな特徴である。上型（ｕｐｐｅｒ  ｍｏｌｄ；雄金型）３１にはガイドピン３３が突出形成されており、下型３２には前記ガイドピン３３に対応する形状の凹溝３４が形成されている。これらはＣＮＣ金型でモールドを圧着する時に上型３１と下型２３とが正確に合うようにガイドする役割を果たすので、垂直方向にテーパー（ｔａｐｅｒ）されるよう形成するのが好ましく、凹溝３４はバリアホール３５の外側に形成されている。
【００２６】
本発明に係る付着型ウイングブラジャーは、ＣＮＣ金型でモールドを成型した後、成型したモールドをカットし、カットしたモールドに貼着剤を塗布する過程を経て製造する。
【００２７】
図１に示すように、モールドを成型する過程では、先ずスポンジ１３の両面に内側生地１１と外側生地１２とをボンディング（ｂｏｎｄｉｎｇ）し、ボンディングした生地をＣＮＣ金型３０に挿入した後、ＣＮＣ金型に挿入された生地に１８０〜２１０℃の熱と５０〜１５０トン/ｃｍ２の圧力とを２〜４分程度圧力を加えてモールドを成型する。上型３１で下型３２を圧着加熱する過程において、成型モールド５０（図４）にはブラジャーの縁になる部分にＣＮＣ金型３０の下型３２に形成されたバリアホール３５により凸なボーダー５１が形成される。
【００２８】
ブラジャーカップ１０部分は凸な乳房を収めることができるよう凸な形状であり、カップ以外の部分は平らな形状である。仮に、ブラジャーカップ１０に支持部材４１を挿入する場合には以下の条件とすればよい。すなわち、例えば支持部材４１を挿入しない時に１２ｍｍのスポンジを使用するとしたら、支持部材４１を挿入する場合には６ｍｍのスポンジを２枚使用し、それらの間に支持部材１４を挿入させる。従来使用していたブラジャーカップの下段に挿入したワイヤリング（ｗｉｒｅ  ｒｉｎｇ）は固くて、着用する乳房に過度な圧迫を与え、垂れる乳房を支える役割を碌に果たせなかったが、本発明で使用する支持部材１４はプラスチックで作製し乳房の形状に沿って曲げられた板状であるので、乳房に圧迫を与えないだけでなく乳房の形状を支持し固定して乳房をプッシュアップ（ｐｕｓｈ−ｕｐ）しリフトアップ（ｌｉｆｔ  ｕｐ）して美しい形状を維持させる役割を果たす。
【００２９】
図４に示すように、成型モールド５０をカットする過程では、成型モールド５０をプレスのベースの上に載置し、ウイングブラジャーの形状と同一形状の凸型カッター４０を成型モールド５０の上に載せた後、プレスに油圧または空圧で押圧して凸型カッター４０を押下すると、ウイングブラジャーの形状がカットされる。この時、成型モールド５０の縁に沿って形成されたボーダー５１の内側線に合わせて凸型カッターを置かなければならないが、凸型カッター４０は図４に示されたように先端に鋭利な切断刃が形成され、その上部分にはバンド形状の凸帯で構成されており、全体的な平面形状はウイングブラジャーの平面形状と同一となる。このように、ＣＮＣ金型に形成されたバリアホール３５によって成型モールド５０にボーダー５１が形成され、ウイングブラジャーの平面形状と同一平面形状をした凸型カッター４０でボーダー５１の内側線に沿ってカットするため、いつも一定箇所をカットすることができ、同一形状のブラジャーを大量生産できるだけでなく、カット時にブラジャーカップに熱を加えないので生地やスポンジが溶けなくなり、ブラジャーの縁が柔らかく且つ滑らかに仕上げられる。
【００３０】
モールドに貼着剤層２０を形成する過程では、カットした成型モールド５０においてウイング１５部分にポリオレフィンを原料とするゲルを、ノズルを介して噴射し塗布する。貼着剤はウイング部分のみに塗布することができるし、図２に示すように、ウイング部分とブラジャーカップの内部表面全体に塗布することもできる。この際、ブラジャーカップ１０の内部表面に塗布する場合には内部表面全体に塗布することもできるが、貼着剤が乳首に触れて着心地が悪くなることを防止し、通風のために乳首部分には貼着剤を塗布せず残りの部分のみに塗布するのが好ましく、貼着剤層２０の形状は様々に変更することができる。貼着剤の塗布は、貼着剤をゲル状に溶いて塗布するホットメルト機械を使用しノズルを介して噴射して塗布するが、本発明は貼着剤を塗布する方式に特徴があるのではないので、これ以上の説明は省略する。
【００３１】
ウイングブラジャーの成型モールド５０には、ＣＮＣ金型の下型３２のみに形成されたバリアホール３５のため、ブラジャーカップ１０とウイング１５部分との縁になる部分に凸状のボーダー５１が形成され（図４を参照）、成型モールド５０の縁に沿って形成されたボーダー５１の内側線に合わせて凸型カッター４０を位置させた後、凸型カッター４０にプレスによって力を加えてカットするため、カットされながらモールドの縁で内側生地が内方から外方にラウンドされた（つまり曲げられた）形状に形成される。
【００３２】
以上では一対のブラジャーカップが一体形成されたもののみを説明したが、モールドの形状はブラジャーカップとウイングとが一体形成された後、一対のブラジャーカップをフック（ｈｏｏｋ）やペンダント（ｐｅｎｄａｎｔ）のような連結手段で連結してウイングブラジャーを完成することも技術的な困難無しに行なうことができる。
【００３３】
以上の説明は、本発明の技術思想を例示的に説明したものに過ぎず、本発明の属する技術分野において通常の知識を持つ者であれば本発明の本質的な特性から外れない範囲内で様々な修正及び変形が可能である。従って、本発明に開示された実施形態は本発明の技術思想を限定するためのものではなく説明するためのものであって、このような実施形態によって本発明の技術思想の範囲が限定されるものではない。本発明の保護範囲は請求範囲により解釈されなければならず、それと同等な範囲内にある全ての技術思想は本発明の権利範囲に含まれるものと解釈しなければならない。
【図１】
2011241526.tif 000003
【図２】
2011241526.tif 000004
【図３】
2011241526.tif 000005
【図４】
2011241526.tif 000006